(57)【特許請求の範囲】
【請求項１】
枠体内に障子を納めた建具であって、
前記枠体の下枠に配設された前記障子を案内するためのレールと、
少なくともいずれかで前記レールを支持していて前記下枠の見込み方向に配列された複数の壁体と、
前記複数の壁体にそれぞれ形成された複数の水抜き用穴部と、
を備え、
前記複数の壁体は、屋内外方向に所定間隔を開けて設置された内壁板と外壁板とを有し、
前記内壁板と前記外壁板とで前記レールを支持し、
前記複数の水抜き用穴部は、前記内壁板に形成された内穴部と、前記外壁板に形成された外穴部と、を有し、
前記内穴部および前記外穴部は、前記内壁板および前記外壁板において長手方向と高さ方向の少なくとも一方に位置がずれていることを特徴とする建具。
【請求項２】
前記複数の水抜き用穴部は、前記複数の壁体の長手方向に互いに重ならないずれた位置に形成されている請求項１に記載された建具。
【請求項３】
前記複数の壁体の上部に蓋部が形成され、該蓋部に前記レールが形成されている請求項１または２に記載された建具。
【発明の詳細な説明】
【技術分野】
【０００１】
本発明は、例えば下枠と上枠と左右の縦枠を備えた枠体内に走行可能な障子を納めた引き違い窓等の各種の建具に関する。
【背景技術】
【０００２】
従来、アルミ等の金属と樹脂とを連結した枠体と障子を備えた引き違い窓では、雨水等が内障子や外障子のガラスパネルを固定した框部のガラス溝から下框に浸入し、下枠に設けた内側レールの屋内側に落下することがあった。そのため、内側レールの屋内側に落下した雨水を屋外に排水する機構として、例えば特許文献１に記載されたサッシ下枠の排水構造が提案されている。
【０００３】
特許文献１に記載された引き違い窓では、下枠に内障子を案内する内側レールと外障子を案内する外側レールとを備え、内側レールの下部に水抜き用の貫通孔を形成し、外側レールの下方の下枠には、内側レールの貫通孔の外側に別の貫通孔を形成している。そして、内側レールの内側に落下した雨水等の水をこれらの貫通孔を通して外側レールの下部に設けた水抜き穴を通して下枠の屋外側端面の下部排水口から排出する、比較的長い排水経路を備えている。
そして、外側レールの屋外側の下枠に落下した比較的多くの雨水は、外側レールの屋外側の空間を通して下枠の屋外側端面の上部排水口を通して排出する、比較的短い排水経路を備えている。
【先行技術文献】
【特許文献】
【０００４】
【特許文献１】特開２００５−１３９８４５号公報
【発明の概要】
【発明が解決しようとする課題】
【０００５】
ところで、上述した特許文献１に記載されたようなサッシ構造をビルサッシ等に用いた場合、内障子の内側に落下した水を屋外に排出する水抜き用の貫通孔を設けていると、内側レールの屋外側の枠体上に流入した水を、屋外側の気圧と屋内側の気圧との圧力差で内側レールの貫通孔を通して室内に引き込んでしまうことがあるという問題があった。
また、ビルサッシのように、内障子と枠体とを封止するパッキン等の気密材を備えた気密ラインが内障子とその屋内側の枠体との間に形成されている場合、内側レールの屋内側に引き込まれた水がパッキン等の気密材に付着すると、気密ラインを境にした屋内外の圧力差で室内側に引き込んでしまうという問題があった。
【０００６】
本発明は、このような課題に鑑みてなされたものであって、レールの屋外側に付着した水が屋内外の圧力差で屋内側に引き込まれることを防止するようにした建具を提供することを目的とする。
【課題を解決するための手段】
【０００７】
本発明による建具は、枠体内に障子を納めた建具であって、前記枠体の下枠に配設された前記障子を案内するためのレールと、少なくともいずれかで前記レールを支持していて前記下枠の見込み方向に配列された複数の壁体と、前記複数の壁体にそれぞれ形成された複数の水抜き用穴部と、を備え、前記複数の壁体は、屋内外方向に所定間隔を開けて設置された内壁板と外壁板とを有し、前記内壁板と前記外壁板とで前記レールを支持し、前記複数の水抜き用穴部は、前記内壁板に形成された内穴部と、前記外壁板に形成された外穴部と、を有し、前記内穴部および前記外穴部は、前記内壁板および前記外壁板において長手方向と高さ方向の少なくとも一方に位置がずれていることを特徴とする。
本発明によれば、レールを支持する複数の壁体にそれぞれ水抜き用穴部を設けたため、下枠のレールの屋外側に付着した雨水等の水が屋外側と屋内側の気圧差で屋内側に流れるとしても、複数の水抜き用穴部間の見込み方向の距離による流れ抵抗によって複数の水抜き用穴部を通して屋内側に流入することを抑制できる。
【０００８】
また、複数の水抜き用穴部が長手方向にずれて配置されている場合には気圧差で屋内側に流入する水の流れ距離が長くなるので一層屋内側に流入することを抑制できる。また、複数の水抜き用穴部が高さ方向にずれている場合には高さの段差によって水が屋内側に流入することを抑制できる。
【０００９】
また、複数の水抜き用穴部は壁体の長手方向に互いに重ならないずれた位置に形成されていることが好ましい。
この場合には、気圧差で屋内側に流入する水が更に長い距離を蛇行するため、浸入経路が迷路状になって屋内側に浸入しずらいので水密性が高くなる。
【００１０】
また、複数の壁体の上部に蓋部が形成され、該蓋部に前記レールが形成されていてもよい。
この場合には障子を案内するレールを蓋部と複数の壁体によって高強度に支持できる。
【発明の効果】
【００１１】
本発明による複合建具によれば、レールを支持する複数の壁体にそれぞれ水抜き用穴部を設けたため、レールの屋外側の下枠に付着した水が屋外側と屋内側の気圧差で屋内側に流れても複数の水抜き用穴部間の見込み方向の距離による抵抗によって複数の水抜き用穴部を通して屋内側に流入することを抑制できる。
【図面の簡単な説明】
【００１２】
【図１】本発明の第一実施形態による引き違い窓の要部縦断面図である。
【図２】図１に示す引き違い窓の要部水平断面図である。
【図３】図１に示す引き違い窓の下枠部分の拡大断面図である。
【図４】図２に示す引き違い窓の下枠を示すものであり，（ａ）は縦断面図、（ｂ）は要部平面図である。
【図５】図３に示す内側レールの拡大図であり、（ａ）は内側レールと壁板との分解図であり、壁板は同図（ｂ）のＡ−Ａ線で示す断面図、（ｂ）は壁板の要部正面図である。
【図６】本発明の第二実施形態による引き違い窓の下枠部分の拡大断面図である。
【図７】図６に示す壁板の要部正面図である。
【図８】（ａ）（ｂ）（ｃ）は内側レールの変形例を示す要部縦断面図である。
【発明を実施するための形態】
【００１３】
以下、本発明の各実施形態による複合建具を添付図面により説明する。
第一実施形態による複合建具の一例としての引き違い窓１を図１から図５に基づいて説明する。
図１及び図２に示す第一実施形態による引き違い窓１は、上枠２と下枠３と左右の縦枠４とで四角形枠状に形成された枠体５内に内障子７と外障子８が見込み方向に納められている。内障子７と外障子８はそれぞれ上框１０と下框１１と左右の縦框１２とで四角形枠状に形成され、その内部に例えばペアガラス等の複層ガラス９が納められている。
【００１４】
図１において、上枠２は屋外側に設けた金属上枠２ａの屋内側に樹脂上枠２ｂが連結され、下枠３は屋外側に設けた金属下枠３ａの屋内側に樹脂下枠３ｂが連結されている。図２に示す左右の縦枠４においても同様に屋外側に設けた金属縦枠４ａの屋内側に樹脂縦枠４ｂが連結されている。金属上枠２ａ、金属下枠３ａ、金属縦枠４ａはアルミ合金等の金属からなっている。
図１に示す下枠３において、金属下枠３ａの屋外側には外障子８の下部に設けた戸車１４を案内する外側レール１５が設置されている。金属下枠３ａの屋内側には外側レール１５より１段高い位置に内側レール１６が設置され、内障子７の下部に設けた戸車１７を案内している。
【００１５】
また、内障子７において、上框１０は屋外側に設けた金属上框１０ａの屋内側に樹脂上框１０ｂが連結され、下框１１は屋外側に設けた金属下框１１ａの屋内側に樹脂下框１１ｂが連結されている。図２に示す左右の縦框１２においても同様に屋外側に設けた金属縦框１２ａの屋内側に樹脂縦框１２ｂが連結されている。これら金属上框１０ａ、金属下框１１ａ、金属縦框１２ａはアルミ合金等からなる
更に外障子８においても上框１０、下框１１、左右の縦框１２に同一の構成を備えており、同一の符号を用いて説明を省略する。なお、左右の縦框１２は戸先側の縦框と召し合わせ部の縦框を有している。
そして内障子７の金属下框１１ａの下部には内側レール１６に載置させる戸車１７が設置され、外障子８の金属下框１１ａの下部にも外側レール１５に載置させる戸車１４が設置されている。
【００１６】
図１乃至図３に示す内障子７及び外障子８において、内障子７と外障子８でそれぞれ支持する複層ガラス９は２枚のガラスパネル２０の間の四辺の端部にスペーサ２１がそれぞれ介在している。複層ガラス９の四辺の側端部は断面略Ｕ字状のグレージングチャンネル２２で全周に亘って連続して囲われている。
内障子７及び外障子８では、グレージングチャンネル２２は金属上框１０ａ、金属下框１１ａ、左右の金属縦框１２ａに設けたパネル受け部２６で四辺の側縁部を支持され、これら金属框の屋内側を樹脂上框１０ｂ、樹脂下框１１ｂ、左右の樹脂縦框１２ｂでそれぞれ覆っている。
【００１７】
図３において、各グレージングチャンネル２２は、複層ガラス９の端面に当接する基部２２ａと両側縁部にそれぞれ当接する立ち上がり部２２ｂとで形成され、両立ち上がり部２２ｂは基部２２ａ側のヒレ部２３と平面部と先端部の先端ヒレ部２５とを形成しており、先端ヒレ部２５の他端部は平面部の反対側に突出する突部２５ａを形成している。
そして、下框１１の金属下框１１ａでは、グレージングチャンネル２２を囲うように設けた断面略コの字状のパネル受け部２６の両側部２６ａによって屋内外の両立ち上がり部２２ｂを押圧している。これによって、グレージングチャンネル２２の両立ち上がり部２２ｂのヒレ部２３と先端ヒレ部２５が屋内外における複層ガラス９の両側部を押圧してグレージングチャンネル２２及び両側部２６ａとの間で気密に封止している。しかも屋内側に連結した樹脂下框１１ｂは先側突部２８がパネル受け部２６の側部２６ａの先端と先端ヒレ部２５の突部２５ａとの間に嵌合して、立ち上がり部２２ｂを押圧している。
【００１８】
内障子７と外障子８のこのような構成は、下框１１だけでなく上框１０、左右の縦框１２においても同様である。
これによって、内障子７と外障子８の複層ガラス９とグレージングチャンネル２２の立ち上がり部２２ｂはパネル受け部２６の屋内側の側部２６ａによって気密に封止されている。
また、内障子７では、金属下框１１ａにおけるパネル受け部２６の下側に戸車１７を保持する戸車保持部２７が連結されている。外障子８では、金属下框１１ａにおけるパネル受け部２６の更に下側の支持枠２９の下側に戸車１４を保持する戸車保持部３０が連結されている。
【００１９】
次に金属下枠３ａにおけるレール構造について図３から図５に基づいて説明する。
図３において、内障子７の下框１１における金属下框１１ａにはパネル受け部２６の下側に戸車保持部２７を固定する断面略コの字状のレールじゃくり３２が形成されている。このレールじゃくり３２の下向きの凹部内に戸車保持部２７から戸車１７の一部が突出している。
この金属下框１１ａに保持された戸車１７に対向する金属下枠３ａには、内側レール１６を設けた上段部としての上段平面部３３と外側レール１５を設けた下段部３４とが互いに連結されて形成されている。
【００２０】
図３及び図４に示す金属下枠３ａの上段平面部３３において、戸車１７に対向する位置には内側レール１６を支える複数条、例えば２条の壁体として内壁板３５と外壁板３６が屋内外方向（見込み方向）に所定間隔を開けて設置されている。屋内側の内壁板３５は断面視で略Ｔ字形状を有しており、その長手方向の任意の位置に水抜き用の内穴部３５ａが形成されている。内穴部３５ａは例えば上方に開口された四角形状を呈している。
また、屋外側の外壁板３６は断面視で屈曲した略段付き形状を有しており、その長手方向の任意の位置に水抜き用の外穴部３６ａが形成されている。外穴部３６ａも例えば上方に開口された四角形状を呈している。なお、内穴部３５ａと外穴部３６ａの形状は四角形に限らず、任意の形状を採用できる。
【００２１】
そして、見込み方向に距離を置いた２条の内壁板３５と外壁板３６において、図４、図５（ｂ）に示すように内穴部３５ａと外穴部３６ａは長手方向(見付け方向)にも完全にずれて形成されている。図４に示す例では、内穴部３５ａと外穴部３６ａは１０ｍｍ離れている。これによって上段平面部３３上で外壁板３６の屋外側に雨水等の水が付着した場合、屋内外の気圧差で屋内側に引き込まれようとしても内外壁板３５，３６の内穴部３５ａと外穴部３６ａがずれているために浸入経路が迷路状になって長距離になるため、水の浸入を阻止できる。
【００２２】
なお、内壁板３５の内穴部３５ａと外壁板３６の外穴部３６ａは長手方向に完全にずれていなくてもよく、例えば一部重なる状態にずれていてもよいし、或いは完全に重なるように長手方向において同一位置に形成されていてもよい。これらの場合でも、内穴部３５ａと外穴部３６ａは見込み方向に所定の距離が設定されているため、水の引き込み方向に流れの抵抗を生じるため屋内側に引き込まれにくい。
【００２３】
これら内壁板３５と外壁板３６の上部に連結される内側レール１６は、図５（ａ）に示すように、戸車１７を着座させるレール受け部３７と二条の長短脚部３８ａ、３８ｂとを備えている。レール受け部３７は戸車１７を着座させる凸湾曲部３７ａを見込み方向の一方に偏らせて形成しており、その下部に凸湾曲部３７ａの両側を支持する蓋部３７ｂを有している。
また、蓋部３７ｂの下方に延びる長脚部３８ａと短脚部３８ｂはその長さが異なっている。内側レール１６の蓋部３７ｂが外壁板３６と内壁板３５に着座した状態で、長脚部３８ａは外壁板３６の屈曲凹部に係合する凸部を下端に備えて上段平面部３３に当接し、短脚部３８ｂは内壁板３５の上端部に形成したＴ字型の頭部に係合する屈曲形状を有している。
【００２４】
そして、内側レール１６の長短脚部３８ａ、３８ｂを外壁板３６と内壁板３５に嵌合することで、図３に示すように内側レール部として一体化できる。また、図４に示すように、外壁板３６に外穴部３６ａとは別に内穴部３５ａに重なる開口３６ｂが形成されていても、内側レール１６を係合することで、長脚部３８ａで開口３６ｂを閉鎖させることができる。外穴部３６ａの位置には長脚部３８ａは形成されていない。なお、外壁板３６に開口３６ｂを形成しなくてもよい。
また、図３に示すように金属下枠３ａの上段平面部３３の屋外側の端部には封止部材としてゴム等の弾性材等からなる外ヒレ部４０が凸曲面状に突出して形成されており、枠体５に外障子８が閉鎖位置に保持された状態で下框１１の金属下框１１ａに外ヒレ部４０が当接して気密状態を保持できる。
【００２５】
また、閉鎖位置にある内障子７の金属下框１１ａに対して、下枠３の樹脂下枠３ｂの屋外側端部に設けたパッキン等のパッキン４１が当接して気密状態に保持できる。なお、金属下枠３ａと内障子７の金属下框１１ａとの間をパッキン４１で気密に封止する構造は、下枠３と下框１１だけでなく、上枠２と上框１０、縦枠４と縦框１２との間にも設置されている。これらの気密機構部分は気密ラインを構成する。
次に、金属下枠３ａの下段部３４には、その屋外側の角部に外側レール１５が形成されている。本実施形態では、外側レール１５は内側レール１６より下方に設置されているが複層ガラス９は内障子７と外障子８とで同一高さに形成されている。
なお、上段平面部３３において、内側レール１６の屋内側の空間をＫ１とし、屋外側の空間をＫ２というものとする。
【００２６】
本実施形態による引き違い窓１は上述した構成を備えており、次に作用を説明する。
図１及び図３に示す引き違い窓１において、雨水等が例えば内障子７のグレージングチャンネル２２の屋外側の立ち上がり部２２ｂと複層ガラス９との小さな隙間等から下框１１のパネル受け部２６内に浸入して、内側レール１６の屋内側で金属下枠３ａの上段平面部３３上の空間Ｋ１に落下したとする。この場合、空間Ｋ１の上段平面部３３に落下した水は内側レール１６を支持する内壁板３５の内穴部３５ａを流れ出て外壁板３６の長手方向に沿って流動し、外穴部３６ａから屋外側に流れ出る。そして下段部３４に落下して図示しない排出口を通して屋外に排出される。
【００２７】
また、本第一実施形態による引き違い窓１において、内側レール１６の屋外側における金属下枠３ａの上段平面部３３上の空間Ｋ２に雨水等の水が落下して溜まった場合、屋外側と屋内側の気圧差によって内側レール１６の屋内側に引き込み易い。この場合、水が、空間Ｋ２の上段平面部３３から外壁板３６の外穴部３６ａを通って屋内側の内壁板３５の内穴部３５ａに流れ込むことになり得るが、上段平面部３３上で外穴部３６ａから内穴部３５ａまでの距離を流れるため抵抗によって内穴部３５ａまでたどり着きにくい。
【００２８】
特に本実施形態では、排水経路を構成する外壁板３６の外穴部３６ａと内壁板３５の内穴部３５ａとが長手方向に重ならない位置にずれて設置されているため、雨水を引き込む排水経路が蛇行した迷路状になり屋内側の空間Ｋ１まで水が浸入しずらい。そのため、外穴部３６ａと内穴部３５ａによる排水経路の水密性が高くなる。
そのため、引き込まれた水が内側レール１６の屋内側で空間Ｋ１の上段平面部３３に溜まって、気密ラインを構成するパッキン４１に付着したり結露したりして、屋内外の圧力差によって室内に引き込まれることを防止できる。
【００２９】
上述のように本実施形態による引き違い窓１によれば、下枠３上で内側レール１６を支持する平行な内壁板３５と外壁板３６の内穴部３５ａと外穴部３６ａは位置ずれした迷路状の排水経路を形成するため、屋外側の空間Ｋ２に雨水等が溜まったとしても屋内外の気圧差によって屋外側から屋内側まで水が浸入し難く、水密性が高いという利点がある。
また、パッキン４１等による気密ラインを内側レール１６の屋内側に設置してあっても、下枠３上で屋外側から屋内側まで水が浸入し難いためパッキン４１等の気密材に水滴や結露水等が付着して屋内外の圧力差で室内に水滴や結露水等を引き込むことを防止できる。
【００３０】
なお、本発明による建具は、上述した第一実施形態による引き違い窓１に限定されるものではなく、本発明の要旨を逸脱しない範囲で適宜の変更や置換等が可能である。
以下に、本発明の他の実施形態や変形例について説明するが、上述した実施形態で説明した部品や部材等と同一または同様なものについては同一の符号を用いて説明する。
【００３１】
次に本発明の第二実施形態による引き違い窓１Ａの下枠３について図６により説明する。
図６に示す引き違い窓１Ａの枠体５の下枠３において、内側レール１６を支持する金属下枠３ａは上述した第一実施形態の上段平面部３３に代えて段付きの上段部４４が形成され、その下部の下段部３４は第一実施形態と同一構成を有している。金属下枠３ａの上段部４４は比較的高い位置の第一平面部４４ａと段部４４ｂを介して比較的低い位置の第二平面部４４ｃとで段付きに形成されている。
第一平面部４４ａ上の適宜位置、例えば第一平面部４４ａの段部４４ｂを有する角部に内壁板３５が形成されている。また、第二平面部４４ｃ上には外壁板３６が形成されている。
【００３２】
図７において、第一平面部４４ａに設けた内壁板３５には内穴部３５ａが形成され、第二平面部４４ｃに設けた外壁板３６には外穴部３６ａが形成されている。内壁板３５は外壁板３６よりも高い位置に形成されている。内穴部３５ａと外穴部３６ａはその長手方向に位置が重なっているが、高さ方向に位置がずれており、図６及び図７に示すように上側の内穴部３５ａと下側の外穴部３６ａは上下方向の一部が重なるように設置されている。
あるいは、内穴部３５ａと外穴部３６ａは上下方向に重ならないように第一平面部４４ａと第二平面部４４ｃの高低差である段部４４ｂをより大きく設定してもよい。また、内穴部３５ａと外穴部３６ａはその長手方向にも位置をずらしてもよい。引き違い窓１Ａのその余の構成は第一実施形態による引き違い窓１と同一である。
【００３３】
本第二実施形態による引き違い窓１Ａは上述した構成を備えているから、雨水等が例えば内障子７のグレージングチャンネル２２の屋外側の小さな隙間等から下框１１の内側レール１６の屋内側で金属下枠３ａの空間Ｋ１内の第一平面部４４ａ上に落下したとする。この場合、空間Ｋ１の第一平面部４４ａに溜まった水は内側レール１６を支持する内壁板３５の内穴部３５ａを流れて段部４４ｂを落下し、下段の第二平面部４４ｃ上に設けた外壁板３６の外穴部３６ａを流れ出る。そして、水は下段部３４に落下して屋外に排出される。
【００３４】
また、本第二実施形態による引き違い窓１Ａにおいて、内側レール１６の屋外側の空間Ｋ２の第二平面部４４ｃ上に雨水等の水が落下して溜まった場合、屋外側と屋内側の気圧差によって水を屋内側に引き込み易い。しかし、外壁板３６と内壁板３５との間には段部４４ｂが形成されているため水は段部４４ｂを乗り越えることができず、内壁板３５の内穴部３５ａに到達できない。
そのため、第二平面部４４ｃ上に溜まった水は外穴部３６ａを通過可能ではあるが、段部４４ｂ上にある内穴部３５ａには流入できないので、外穴部３６ａと内穴部３５ａによる排水経路の水密性が一層高く確実である。
【００３５】
また、図８は本発明における内側レール１６とこれを支持する内壁板３５及び外壁板３６の変形例である内側レールを示すものである。図８（ａ）に示す内側レール４７は、内壁板３５と外壁板３６が断面略円弧状のレール部４８と一体形成された略逆Ｕ字形状とされ、内壁板３５と外壁板３６にそれぞれ内穴部３５ａと外穴部３６ａが形成されている。内壁板３５と外壁板３６の上部とレール部４８の下部とは蓋部３７ｂで互いに連結されている。
この場合、内穴部３５ａと外穴部３６ａは長手方向に一部または完全にずれて形成されていることが好ましい。
【００３６】
また、図８（ｂ）に示す第二変形例による内側レール５０は、断面視略ｈ字形状とされている。内壁板３５と外壁板３６は蓋部３７ｂで連結され、外壁板３６は蓋部３７ｂよりも上方に延びてレール部５１を形成している。
また、図８（ｃ）に示す第三変形例による内側レール５３は、内壁板３５及び外壁板３６が所定間隔を開けて上部に延びており、いずれかその一方の上端がレール部を構成している。しかも、内壁板３５と外壁板３６の下部には内穴部３５ａと外穴部３６ａがそれぞれ形成されている。
【００３７】
なお、上述した各実施形態において、内側レール１６を支持する２条の内壁板３５と外壁板３６に形成した内穴部３５ａと外穴部３６ａについて、内壁板３５と外壁板３６の長手方向の中間部に設けてもよいし、いずれかの端部に設けてもよい。
また、上述した各実施形態において、内壁板３５の内穴部３５ａと外壁板３６の外穴部３６ａは長さ方向と高さ方向に一方にずれた位置に形成したが、長さ方向と高さ方向の両方にずれていてもよい。
内側レール１６を支持する複数の壁体として２条の内壁板３５と外壁板３６を設置したが、これに限定されることなく３条以上の壁体を備えていてもよい。なお、内壁板３５の内穴部３５ａと外壁板３６の外穴部３６ａはそれぞれ水抜き用穴部を構成し、３条以上の壁体を設けた場合にはそれぞれに水抜き用穴部を形成するものとする。
【００３８】
上述した各実施形態では内障子７と外障子８を備えた引き違い窓１、１Ａについて説明したが、本発明はこれに限定されることなく片引き窓等も適用できる。また、上述した実施形態や変形例では、金属部材及び樹脂部材を備えた複合式の引き違い窓１、１Ａからなる複合建具を用いたが、本発明による建具は複合式に限定されることなく、樹脂サッシや金属サッシ等の建具にも適用できる。
【符号の説明】
【００３９】
１、１Ａ  引き違い窓
３  下枠
３ａ  金属下枠
３ｂ  樹脂下枠
５  枠体
７  内障子
８  外障子
９  複層ガラス
１４，１７  戸車
１５  外側レール
１６，４７、５０、５３  内側レール
３５  内壁板
３５ａ  内穴部
３６  外壁板
３６ａ  外穴部
【図１】
0006659292.tif 000002
【図２】
0006659292.tif 000003
【図３】
0006659292.tif 000004
【図４】
0006659292.tif 000005
【図５】
0006659292.tif 000006
【図６】
0006659292.tif 000007
【図７】
0006659292.tif 000008
【図８】
0006659292.tif 000009